(57)【要約】【課題】スクリーン布に付属物を装備せしめることが可能となる折り畳み式スクリーンを提供する。【解決手段】ロール状に巻き取られている状態から使用時に巻取付勢力に抗して引き出されて上下方向に張設されるスクリーン布２と、該スクリーン布２の後側に配置され、上下方向へ伸縮可能なスクリーン布支持用のパンタグラフ機構３と、スクリーン布２をその下端側から巻き取る巻取付勢力を有した下側ロール１１を備えると共にパンタグラフ機構３の下端側に連結された下方側横長ケース１と、スクリーン布２をその上端側から巻き取る巻取付勢力を有した上側ロール１０１を備えると共にパンタグラフ機構３の上端側に連結された上方側横長ケース１０と、を備えた構成とする。【選択図】図１
2008286901.tif 000002
【特許請求の範囲】
【請求項１】
ロール状に巻き取られている収納状態から使用時に巻取付勢力に抗して引き出されて上下方向に張設されるスクリーン布と、
前記スクリーン布の後側に配置され、上下方向へ伸縮可能なスクリーン布支持用のパンタグラフ機構と、
前記スクリーン布をその下端側から巻き取る巻取付勢力を有した下側ロールを備えると共に、前記パンタグラフ機構の下端側に連結された下方側横長ケースと、
前記スクリーン布をその上端側から巻き取る巻取付勢力を有した上側ロールを備えると共に、前記パンタグラフ機構の上端側に連結された上方側横長ケースと、
を備え、
前記パンタグラフ機構は、前記スクリーン布の巻き取りに追従して折り畳まれる一方、前記パンタグラフ機構は、前記スクリーン布の引き出しに追従して伸長して該スクリーン布の引き出し状態を保持し得るように構成されていることを特徴とする折り畳み式スクリーン。
【請求項２】
前記パンタグラフ機構は、
菱形に配設された４本のリンクが枢支・連結されると共に、上下方向の伸縮と折り畳み可能に構成され、下端側が前記下方側横長ケースに枢支された下部菱形リンク構体と、
菱形に配設された４本のリンクが枢支・連結されると共に、上下方向の伸縮と折り畳み可能に構成され、上端側が前記上方側横長ケースに枢支された上部菱形リンク構体と、
を備えてなる請求項１に記載の折り畳み式スクリーン。
【請求項３】
前記パンタグラフ機構は、
菱形に配設された４本のリンクが枢支・連結されると共に、上下方向の伸縮と折り畳み可能に構成され、下端側が前記下方側横長ケースに枢支された下部菱形リンク構体と、
菱形に配設された４本のリンクが枢支・連結されると共に、上下方向の伸縮と折り畳み可能に構成され、上端側が前記上方側横長ケースに枢支された上部菱形リンク構体と、
Ｖ字形に配置されて各下端同士が枢支・連結された左右一対の下側リンクが、それぞれ前記下部菱形リンク構体の上側の左右の両リンクに枢支・連結され、逆Ｖ字形に配置されて各上端同士が枢支・連結された左右一対の上側リンクが、それぞれ前記上部菱形リンク構体の下側の左右の両リンクに枢支・連結され、前記左側の下側リンクの上端部及び前記左側の上側リンクの下端部が第１スライダに固定され、前記右側の下側リンクの上端部及び前記右側の上側リンクの下端部が第２スライダに固定され、これら両スライダが支持部によって横移動可能に支持されてなる連動機構部と、
を備えてなる請求項１に記載の折り畳み式スクリーン。
【請求項４】
前記スクリーン布の、巻き取り状態におけるロール巻きされない非巻き取り領域に付属物が取り付けられている請求項１〜３のいずれか１項に記載の折り畳み式スクリーン。
【請求項５】
前記スクリーン布の背面における、巻き取り状態においてロール巻きされない非巻き取り領域に付属物が取り付けられ、前記付属物は、前記支持部に対して前後移動可能となるように構成されている請求項３に記載の折り畳み式スクリーン。
【発明の詳細な説明】
【技術分野】
【０００１】
この発明は、企業やオフィス、あるいは地域や家庭などで使用されるスライド映写機、フィルム映写機、ビデオ映写機、液晶プロジェクタ、ＯＨＰなどの各種映写機器の映像を映写するために用いられる折り畳み式スクリーンに関する。
【背景技術】
【０００２】
この種のスクリーンとしては、スクリーン布がロール状に巻かれて収容されるケース内にパンタグラフ機構が格納され、このパンタグラフ機構により前記スクリーン布の折り畳みや引き出しを行い得るように構成されたものが知られている。
【０００３】
上記構成の折り畳み式スクリーンにおいて、スクリーンを縦に長くしたい場合には、それに伴ってパンタグラフ機構も大きくなるが、そうするとスクリーン折り畳み時にパンタグラフ機構のリンクがケースの左右両端からはみ出すことになるために、スクリーンを縦に長く設計することは自ずと制約されてしまうという問題があった。
【０００４】
そこで、このような制約を受けることなくスクリーンを縦に長く設計することが可能になるものとして、パンタグラフ機構を上下の２段に構成したものが提案されている。具体的には、菱形に配置された４本のリンクを枢支・連結して上下方向の伸縮と折り畳みが可能に構成し、その下端側を前記ケース内に枢支した下部菱形リンク構体と、この下部菱形リンク構体とは前後方向で段違いの平面上に菱形に配設された４本の短尺のリンクを枢支・連結するとともに、前記下部菱形リンク構体の上部に重なる状態で接続した上部菱形リンク構体とでパンタグラフ機構を構成することにより、パンタグラフ機構の横幅寸法を抑えつつ、スクリーンを縦方向に長く（上下方向に長く）設計できるようにした折り畳み式スクリーンが提案されている（特許文献１参照）。
【特許文献１】特開２００５−３４５６６０号公報
【発明の開示】
【発明が解決しようとする課題】
【０００５】
しかしながら、上記従来技術では、スクリーン折り畳み時にスクリーン布の略全部が横長ケースのロール部に巻き取られることから、例えばスクリーン布の背面の一部に付属物を取り付けた構成を採用することはできなかった。即ち、このような付加機能をスクリーン布に付与することはできなかった。
【０００６】
この発明は、かかる技術的背景に鑑みてなされたものであって、スクリーン布に付属物を装備せしめることが可能となる折り畳み式スクリーンを提供することを目的とする。
【課題を解決するための手段】
【０００７】
前記目的を達成するために、本発明は以下の手段を提供する。
【０００８】
［１］ロール状に巻き取られている収納状態から使用時に巻取付勢力に抗して引き出されて上下方向に張設されるスクリーン布と、
前記スクリーン布の後側に配置され、上下方向へ伸縮可能なスクリーン布支持用のパンタグラフ機構と、
前記スクリーン布をその下端側から巻き取る巻取付勢力を有した下側ロールを備えると共に、前記パンタグラフ機構の下端側に連結された下方側横長ケースと、
前記スクリーン布をその上端側から巻き取る巻取付勢力を有した上側ロールを備えると共に、前記パンタグラフ機構の上端側に連結された上方側横長ケースと、
を備え、
前記パンタグラフ機構は、前記スクリーン布の巻き取りに追従して折り畳まれる一方、前記パンタグラフ機構は、前記スクリーン布の引き出しに追従して伸長して該スクリーン布の引き出し状態を保持し得るように構成されていることを特徴とする折り畳み式スクリーン。
【０００９】
［２］前記パンタグラフ機構は、
菱形に配設された４本のリンクが枢支・連結されると共に、上下方向の伸縮と折り畳み可能に構成され、下端側が前記下方側横長ケースに枢支された下部菱形リンク構体と、
菱形に配設された４本のリンクが枢支・連結されると共に、上下方向の伸縮と折り畳み可能に構成され、上端側が前記上方側横長ケースに枢支された上部菱形リンク構体と、
を備えてなる前項１に記載の折り畳み式スクリーン。
【００１０】
［３］前記パンタグラフ機構は、
菱形に配設された４本のリンクが枢支・連結されると共に、上下方向の伸縮と折り畳み可能に構成され、下端側が前記下方側横長ケースに枢支された下部菱形リンク構体と、
菱形に配設された４本のリンクが枢支・連結されると共に、上下方向の伸縮と折り畳み可能に構成され、上端側が前記上方側横長ケースに枢支された上部菱形リンク構体と、
Ｖ字形に配置されて各下端同士が枢支・連結された左右一対の下側リンクが、それぞれ前記下部菱形リンク構体の上側の左右の両リンクに枢支・連結され、逆Ｖ字形に配置されて各上端同士が枢支・連結された左右一対の上側リンクが、それぞれ前記上部菱形リンク構体の下側の左右の両リンクに枢支・連結され、前記左側の下側リンクの上端部及び前記左側の上側リンクの下端部が第１スライダに固定され、前記右側の下側リンクの上端部及び前記右側の上側リンクの下端部が第２スライダに固定され、これら両スライダが支持部によって横移動可能に支持されてなる連動機構部と、
を備えてなる前項１に記載の折り畳み式スクリーン。
【００１１】
［４］前記スクリーン布の、巻き取り状態におけるロール巻きされない非巻き取り領域に付属物が取り付けられている前項１〜３のいずれか１項に記載の折り畳み式スクリーン。
【００１２】
［５］前記スクリーン布の背面における、巻き取り状態においてロール巻きされない非巻き取り領域に付属物が取り付けられ、前記付属物は、前記支持部に対して前後移動可能となるように構成されている前項３に記載の折り畳み式スクリーン。
【発明の効果】
【００１３】
［１］の発明では、スクリーン布は下側ロールと上側ロールの両方に巻き取られる構成であるから、巻き取り状態において、スクリーン布の上下方向の中間部に、ロール巻きされていない非巻き取り領域が存在するものとなり、該非巻き取り領域に付属物を装備せしめることが可能となる。また、スクリーン布が下側ロールと上側ロールの両方に巻き取られるので、巻き取り負荷が上下２個所に分配され、これにより巻き取り機構部（ロールを含む）の耐久性を向上させることができる。
【００１４】
［２］の発明では、スクリーン布を支持するパンタグラフ機構を、下部菱形リンク構体と上部菱形リンク構体との２段構成としたから、スクリーン布を上下方向に長く（縦長に）設計できる上、パンタグラフ機構を折り畳んだ格納状態で上下の横長ケースの左右両端からパンタグラフ機構の一部がはみ出すのを回避できる利点がある。
【００１５】
［３］の発明では、スクリーン布を支持するパンタグラフ機構を、下部菱形リンク構体と上部菱形リンク構体との２段構成としたから、スクリーン布を上下方向に長く（縦長に）設計できる上、パンタグラフ機構を折り畳んだ格納状態で上下の横長ケースの左右両端からパンタグラフ機構の一部がはみ出すのを回避できる利点がある。また、下部菱形リンク構体及び上部菱形リンク構体の伸縮（折り畳みを含む）動作を同期させる連動機構部を設けたから、下部菱形リンク構体及び上部菱形リンク構体として同形で同サイズのものを使用すれば、スクリーン布の上下の巻き取りを同期的で同じ巻き取り量（巻き取り速度）とすることができ、これにより巻き取りの際にスクリーンにたるみ等が生じないものとなる。更に、左側の下側リンクの上端部及び左側の上側リンクの下端部が固定された第１スライダと、右側の下側リンクの上端部及び右側の上側リンクの下端部が固定された第２スライダとが、支持部によって横移動可能に支持されているから、下部菱形リンク構体と上部菱形リンク構体との適正な連動が確保され得て、スクリーン布の巻き取り操作がよりスムーズになる利点がある。
【００１６】
［４］の発明では、スクリーン布の、巻き取り状態におけるロール巻きされない非巻き取り領域に付属物が取り付けられているから、該付属物の機能によりスクリーンの付加価値が高められる。
【００１７】
［５］の発明では、スクリーン布の背面における、巻き取り状態においてロール巻きされない非巻き取り領域に付属物が取り付けられているから、この付属物の機能によりスクリーンの付加価値が高められる。また、付属物は、支持部に対して前後移動可能となるように構成されているから、スクリーン布の巻き取りの終盤にロールでの巻き取り量（巻き取り外径）が増大することによってスクリーン布が後方側に引っ張られる状態になる時でも、付属物が取り付けられたスクリーン布は、これに対応して後方側に自在に移動することができ、これによりスクリーン布に弛みや皺が生じるのを十分に防止することができる。
【発明を実施するための最良の形態】
【００１８】
以下、この発明の一実施形態を図面に基づいて説明する。
【００１９】
図１は、この発明の一実施形態に係る折り畳み式スクリーンを示す背面図であり、図２は同右側面図である。
【００２０】
これら図１及び図２において、この折り畳み式スクリーンは、下方側横長ケース１と、上方側横長ケース１０と、スクリーン布２と、パンタグラフ機構３と、スクリーン用弾性伸縮部材７、７とを備えている。
【００２１】
前記下方側横長ケース１は、例えば金属や合成樹脂等で形成された上面開放の横長の容器であり、該下方側横長ケース１内には、スクリーン布２の下端側から略下半分をロール状に巻き取る巻き取り部としての下側ロール１１が配置されている。
【００２２】
前記スクリーン布２の下端側には、図示しないスプリングにより、常時巻き取り方向への復帰弾性力が付与されており、巻き取り収容状態でのスクリーン布２に対して引き出し操作を行うことにより、このスクリーン布２の略下半分が前記復帰弾性力に抗して下側ロール１１から引き出されるようになっている。
【００２３】
なお、８は、下方側横長ケース１の下面に設けられた、床面に安定設置するための設置部材である。
【００２４】
前記上方側横長ケース１０は、例えば金属や合成樹脂等で形成された下面開放の横長の容器であり、該上方側横長ケース１０内には、スクリーン布２の上端側から略上半分をロール状に巻き取る巻き取り部としての上側ロール１０１が配置されている。
【００２５】
前記スクリーン布２の上端側には、図示しないスプリングにより、常時巻き取り方向への復帰弾性力が付与されており、巻き取り収容状態でのスクリーン布２に対して引き出し操作を行うことにより、このスクリーン布２の略上半分が前記復帰弾性力に抗して上側ロール１０１から引き出されるようになっている。
【００２６】
前記パンタグラフ機構３は、図１〜３に示すように、下部菱形リンク構体４と、上部菱形リンク構体６と、両リンク構体４、６の伸縮動作を同期させる連動機構部５と、を備えている。
【００２７】
前記下部菱形リンク構体４は、例えば角パイプ等からなる４個のリンク４１ａ，４１ｂ，４１ｃ，４１ｄが同一平面上で菱形の各辺を構成するように配列されてなる。
【００２８】
前記下部菱形リンク構体４における上側の左側リンク４１ａの下端部と下側の左側リンク４１ｃの上端部とは連結部材４２により枢支・連結されており、また、上側の右側リンク４１ｂの下端部と下側の右側リンク４１ｄの上端部とは連結部材４３により枢支・連結されている。
【００２９】
また、下部菱形リンク構体４における下側の左右両側リンク４１ｃ，４１ｄの各下端部は、連結部材４５を介して枢支・連結されると共に、下方側横長ケース１の底面の長さ方向（左右方向）の中央部に固定された軸支部４６に連結されている。
【００３０】
また、下部菱形リンク構体４における上側の左右両側リンク４１ａ，４１ｂの各上端部は、連結部材４４により枢支・連結され、該連結部材４４は、支持部９の長さ方向（左右方向）の中央部に固定されている。
【００３１】
前記左側の連結部材４２としては、例えば図４（Ａ）（Ｂ）に示すような連結体４２１，４２２が使用されている。即ち、一方の連結体４２１は、リンク取り付け部４２１ａの先端に、軸孔４２１ｂを有する雄連結片４２１ｃが形成されたものからなり、他方の連結体４２２は、リンク取り付け部４２２ａの先端に、軸孔４２２ｂを有する雌連結片４２２ｃが形成されたものからなる。
【００３２】
前記一方の連結体４２１の雄連結片４２１ｃを他方の連結体４２２の嵌合溝４２２ｄに嵌入した状態で、軸体４２３を軸孔４２１ｂ，４２２ｂに挿入して該軸体４２３にワッシャー４２４を取り付け固定することにより、両方のリンク取り付け部４２１ａ，４２２ａが同一平面上に位置するものとなる。これにより、図４（Ｂ）に示すように、上側の左側リンク４１ａと下側の左側リンク４１ｃとが同一平面上で回動可能に枢支・連結されている。
【００３３】
なお、前記右側の連結部材４３についても、図４に示すものと同じ連結体４２１，４２２が使用されている。また、前記上側の連結部材４４としては、前記連結部材４２と略同様の構造を備えた連結体が用いられている。また、前記下側の連結部材４５としては、前記連結部材４２と略同様の構造を備えた連結体が用いられている。
【００３４】
勿論、前記連結部材４２，４３，４４，４５は、上記構成に限定されるものではなく、適宜任意のものを採用可能である。
【００３５】
一方、前記上部菱形リンク構体６は、前記下部菱形リンク構体４と同じ大きさのものが用いられている。
【００３６】
即ち、前記上部菱形リンク構体６は、例えば角パイプ等からなる４個のリンク６１ａ，６１ｂ，６１ｃ，６１ｄが菱形の各辺を構成するように配列されてなる。
【００３７】
前記上部菱形リンク構体６における上側の左側リンク６１ａの下端部と下側の左側リンク６１ｃの上端部とは連結部材６２により枢支・連結されており、また、上側の右側リンク６１ｂの下端部と下側の右側リンク６１ｄの上端部とは連結部材６３により枢支・連結されている。
【００３８】
また、前記上部菱形リンク部構体６における下側の左右両側リンク６１ｃ，６１ｄの各下端部同士は、連結部材６５により枢支・連結され、該連結部材６５は、支持部９の長さ方向（左右方向）の中央部に固定されている。
【００３９】
また、上側の左右両側リンク６１ａ，６１ｂの各上端部同士は、連結部材６４により枢支・連結されると共に、上方側横長ケース１０の上面の長さ方向（左右方向）の中央部に固定された軸支部６６に連結されている。
【００４０】
前記連結部材６２，６３としては、図４に示すものと同じ連結体４２１，４２２が使用されている。また、前記上側の連結部材６４としては、前記連結部材４２と略同様の構造を備えた連結体が用いられている。また、前記下側の連結部材６５としては、前記連結部材４２と略同様の構造を備えた連結体が用いられている。
【００４１】
前記連動機構部５は、下部菱形リンク構体４と上部菱形リンク構体６との動作に同期をもたせるものであり、これら菱形リンク構体４，６の前面側に配備されている。勿論、この連動機構部５は、菱形リンク構体４，６の背面側に配置されても良い。
【００４２】
前記連動機構部５は、Ｖ字形に配設された左右一対の連動用下側リンク５１ｃ，５１ｄと、逆Ｖ字形に配設された左右一対の連動用上側リンク５１ａ，５１ｂと、第１スライダ２１と、第２スライダ２２と、これら両スライダ２１，２２を横方向へスライド移動可能に支持した支持部９と、を備えてなる。
【００４３】
前記左右一対の下側リンク５１ｃ，５１ｄは、Ｖ字形に配置されて各下端部同士が連結部材５３により枢支・連結されていて、これら下側リンク５１ｃ，５１ｄは、それぞれ下部菱形リンク構体４の上側の左右のリンク４１ａ、４１ｂに枢支・連結されている。即ち、前記下側リンク５１ｃ，５１ｄの各中央部がそれぞれピン５１２，５１２により前記下部菱形リンク構体４の上側の左右のリンク４１ａ，４１ｂの中央部に枢支・連結されている。
【００４４】
前記左右一対の上側リンク５１ａ，５１ｂは、逆Ｖ字形に配置されて各上端部同士が連結部材５２により枢支・連結されていて、これら上側リンク５１ａ，５１ｂは、それぞれ上部菱形リンク構体６の下側の左右のリンク６１ｃ、６１ｄに枢支・連結されている。即ち、前記上側リンク５１ａ，５１ｂの各中央部がそれぞれピン５１１，５１１により前記上部菱形リンク構体６の下側の左右のリンク６１ｃ，６１ｄの中央部に枢支・連結されている。
【００４５】
前記連結部材５２，５３としては、前記連結部材４２と略同様の構造を備えた連結体が用いられている。
【００４６】
前記連動機構部５における前記左側の上側リンク５１ａの下端部５４及び左側の下側リンク５１ｃの上端部５６は、前記支持部９に左右方向へ移動可能に支持された第１スライダ２１の背面の上部及び下部にそれぞれ枢支・連結されている（図３，５参照）。
【００４７】
前記連動機構部５における前記右側の上側リンク５１ｂの下端部５５及び右側の下側リンク５１ｃの上端部５７は、前記支持部９に左右方向へ移動可能に支持された第２スライダ２２の背面の上部及び下部にそれぞれ枢支・連結されている（図３，５参照）。
【００４８】
このような連動機構部５が設けられていることにより、前記スクリーン布２に対する引き出し操作が行われる際に上部菱形リンク６の伸長動作と下部菱形リンク４の伸長動作とが同期することになると共に、前記スクリーン布２に対する収納操作が行われる際にも上部菱形リンク６の折り畳み動作と下部菱形リンク４の折り畳み動作とが同期することになる。即ち、上部菱形リンク６の伸長動作及び折り畳み動作が連動機構部５における逆Ｖ字形の左右の上側リンク５１ａ，５１ｂに伝達されてそれらの各下端部５４，５５がそれぞれ前記左右のスライダ２１，２２でガイドされて左右方向へ変移する一方、下部菱形リンク４の伸長動作及び折り畳み動作が連動機構部５におけるＶ字形の左右の下側リンク５１ｃ，５１ｄに伝達されてそれらの各上端部５６，５７がそれぞれ前記左右のスライダ２１，２２でガイドされて左右方向へ変移する。この時の左右のスライダ２１，２２の変移によって上部菱形リンク６の動作と下部菱形リンク４の動作が同期することになる。これにより、スクリーン布２の上半部側と下半部側の巻き取り量や引き出し量を同等とすることができ、これにより巻き取り時にスクリーン布２にたるみが生じることがないし、張設時にスクリーン布２にしわが生じることもない。
【００４９】
前記支持部９は、図５、６に示すように、前記連動機構部５の前面側に配設された基板９１と、該基板９１の前面側に設けられた付属物用保持台９３とを備えている。
【００５０】
前記基板９１は、左右方向へ沿った横長に形成されており、その背面には、左右方向（図５の矢印方向）に離間して配置された第１スライダ２１及び第２スライダ２２を該左右方向に摺動可能に支持する横長のガイド部９２、９２が固定されている。また、前記付属物用保持台９３は、前面側を開放した薄箱型形状に形成されている。
【００５１】
前記スクリーン布２が下方側横長ケース１内の下側ロール１１と上方側横長ケース１０内の上側ロール１０１とに巻き取られた巻取状態において、スクリーン布２には、図６に示すように、非巻き取り領域２ａが存在することになるが、本実施形態では、この非巻き取り領域２ａに付属物９４が取付固定されている。また、前記付属物９４の背面に両面粘着シート９５を介して外形形状が略薄箱型形状の中子９６が接合固定され、該中子９６は、前記付属物用保持台９３に対して前面開放側から挿入配置されて、該保持台９３に対して前後移動可能に保持されており、これにより前記付属物９４は、前記保持台９３に対して前後移動可能に保持されている（図６参照）。
【００５２】
上下のロール１０１，１１でのスクリーン布２の巻き取り量（巻き取り外径）が径大化するのに伴ってスクリーン布２が後方へ変移しようとする、即ち付属物９４を後方へ変移させようとするのであるが、これ（図８の二点鎖線の状態）を許容できるように、前記保持台９３は、前記付属物９４に接合固定された中子９６を前後移動可能に支持（収容）しているのである。なお、この保持台９３には、付属物９４に対して前方への復帰弾性力を付勢するべく、上下位置にスプリング９３ａ、９３ａが配設されている。
【００５３】
前記スクリーン用弾性伸縮部材７，７は、図１に示すように、各下端部が、前記下方側横長ケース１内にピン７１１，７１１を介して枢支・連結されており、また各上端部が、下部菱形リンク構体４における下側の左右両側リンク４１ｃ，４１ｄの中間部にピン７１２，７１２を介してそれぞれ枢支・連結されている。
【００５４】
各スクリーン用弾性伸縮部材７は、伸縮パイプ７１を有しており、その内部には、スプリング（図示せず）が収縮状態で組み込まれている。このスプリングによる上方へのばね力により、スクリーン布２の引き上げ操作が容易に行えるようになっている。
【００５５】
次に、上記折り畳み式スクリーンの使用手順を説明する。
【００５６】
持ち運びや格納等のためにスクリーン布２をケース１、１０内に収納する際には、上側ロール１０１及び下側ロール１１の巻き取り付勢力によってパンタグラフ機構３が折り畳まれ始め、即ち図７（Ａ）に示すようにパンタグラフ機構３における上部菱形リンク構体６及び下部菱形リンク構体４が連動機構部５を介して同期して折り畳まれ始め、図７（Ｂ）の状態を経てから全体が完全に折り畳まれて偏平状態になる。
【００５７】
この時、スクリーン布２は、その下端側から略下半分が下方側横長ケース１内の下側ロール１１にロール状に巻き取られる一方、その上端側から略上半分が上方側横長ケース１０内の上側ロール１０１にロール状に巻き取られる。また、図６に示すように、パンタグラフ機構３における下部菱形リンク構体４、上部菱形リンク構体６及び連動機構部５等が折り畳まれて、パンタグラフ機構３及びスクリーン布２が、上方側横長ケース１０と下方側横長ケース１との間の空間に収容される。
【００５８】
折り畳み式スクリーンを使用する際には、下方側横長ケース１を床等の設置面に設置部材８を介して置いた状態で、例えば上方側横長ケース１０を掴んで引き上げ操作を行うと、折り畳み状態にあるパンタグラフ機構３が、連動機能部５の作用による上部菱形リンク構体６及び下部菱形リンク構体４の同期的な伸長動作に伴って、上方へ起立すると共に、下方側横長ケース１内の下側ロール１１にロール状に巻かれているスクリーン布２の略下半分が上方へ引き出されつつ、上方側横長ケース１０内の上側ロール１０１にロール状に巻かれているスクリーン布２の略上半分が下方へ引き出されて、これによりスクリーン布２の全体が上下方向に張設される。
【００５９】
前記スクリーン布２を最も高い位置まで引き上げれば、上部菱形リンク構体６及び下部菱形リンク構体４が、図１及び図２に示すように完全に起立して、スクリーン布２がその引き出し状態で保持される。
【００６０】
上記構成に係る折り畳み式スクリーンによれば、スクリーン布２は下側ロール１１と上側ロール１０１の両方に巻き取られる構成であるから、巻き取り状態において、スクリーン布２の上下方向の中間部（本実施形態では上下方向の略中央部）に、ロール巻きされていない非巻き取り領域２ａが存在するものとなり、この非巻き取り領域２ａに付属物を配置することが可能となるものであり、本実施形態ではこの非巻き取り領域２ａに付属物９４が取り付けられている（図６参照）。
【００６１】
また、パンタグラフ機構３は、下部菱形リンク構体４と上部菱形リンク構体６を備えた２段構成であるから、折り畳み時のパンタグラフ機構３の一部が上下の両横長ケース１０，１の左右両端からはみ出すことがなく、しかもスクリーン布２の最上端レベル位置を高く設定することができる（即ち上下方向に長く設計できる）。
【００６２】
また、スクリーン布２を、下方側横長ケース１内の下側ロール１１だけではなく、上方側横長ケース１０内の上側ロール１０１にも巻き取らせるように構成したから、ロール１１，１０１に対するスクリーン布２の巻き取り負荷が上下二つに分配され、これによりロール１１，１０１を含む巻き取り機構部の耐久性を向上させることができる。
【００６３】
また、パンタグラフ機構３における下部菱形リンク構体４と上部菱形リンク構体６とが同じ長さのリンクで構成した同形・同サイズであるから、下側ロール１１と上側ロール１０１とでスクリーン布２の巻き取り負荷が略均等に２分割されて負荷の偏りがなくなると共に、スクリーン布２の上下の巻き取りを同期的で同じ巻き取り量（巻き取り速度）とすることができて巻き取りの際にスクリーン布２にたるみ等が生じないものとなる。
【００６４】
更に、左側の下側リンク５１ｃの上端部５６及び左側の上側リンク５１ａの下端部５４が固定された第１スライダ２１と、右側の下側リンク５１ｄの上端部５７及び右側の上側リンク５１ｂの下端部５５が固定された第２スライダ２２とが、支持部９のガイド部９２，９２によって横移動可能に支持されているから、下部菱形リンク構体４の動作と上部菱形リンク構体６の動作とが互いに同期をもって安定的に行われ、パンタグラフ機構３の折り畳み時にスクリーン布２に弛み等が生じ難くなる。
【００６５】
ところで、前記スクリーン布２が引き出された状態から上下のロール１０１，１１にロール状に巻き取られ始めると、これらロール１０１，１１におけるスクリーン布２の巻き取り径（巻き取り量）が次第に増大し、これに伴ってスクリーン布２が後方側へ変移しようとする。この場合、仮に、前記スクリーン布２の上下方向の中央部に配置された付属物９４が保持台９３に対して固定状態であると、スクリーン布２の上下方向の中央部位の後退変移が付属物９４の前面で邪魔されてしまい、この結果、巻き取り状態時においてスクリーン布２の上下方向の中央部位に弛みや皺が形成される恐れがある。
【００６６】
これに対して、本実施形態では、付属物９４に接合固定された中子９６が保持台９３に対して前後方向へ変移可能に保持されているから、即ち付属物９４が保持台９３に対して前後方向へ変移可能に保持されているから、スクリーン布２における上下のローラ１０１，１０での巻き取り径（巻き取り量）が次第に大きくなって該スクリーン布２が後方側へ変移しようとする場合には、これに合わせて、付属物９４が、図８の二点鎖線で示すように保持台９３における復帰ばね片９３ａの復帰ばね力に抗して後方へ変移することから、巻き取り状態時においてスクリーン布２の上下方向の中央部位に弛みや皺が形成されるのが十分に防止される。なお、スクリーン布２を上下のローラ１０１，１１から引き出し操作して、これらロール１０１，１１におけるスクリーン布２の巻き取り径（巻き取り量）が次第に小さくなれば、スクリーン布２は前方へ変移するが、この時付属物９４も復帰ばね片９３ａの復帰ばね力を受けつつスクリーン布２に追従して前方側に変移する。
【００６７】
なお、前記パンタグラフ機構３は、上記実施形態のように上下の菱形リンク構体６，４での２段構成に特に限定されるものではなく、１段構成であっても良いし、或いは３段以上の構成であっても良い。
【００６８】
また、パンタグラフ機構３としては、特願２００６−２２９２５０号に開示された構成、即ち下部菱形リンク構体の上側の左右両側リンクが交差部を超えて上方へ延長され、これら延長部で上部菱形リンクの下側の左右両側リンクが構成されたもの、或いは特願２００６−２６１８７１号に開示された構成、即ち下部菱形リンク構体の上端部に上部菱形リンク構体の下端部が重ね合わせ状に枢支・連結された構成等を採用することもできる。
【図面の簡単な説明】
【００６９】
【図１】この発明の一実施形態に係る折り畳み式スクリーンを示す背面図である。
【図２】同じく折り畳み式スクリーンを示す右側面図である。
【図３】同じく折り畳み式スクリーンにおけるパンタグラフ機構を背面側から見た斜視図である。
【図４】（Ａ）はリンク同士を枢支・連結するのに使用する連結部材を示す分解斜視図、（Ｂ）は同じく使用状態の連結部材の側面図である。
【図５】連動機構部のスライダ及び支持部並びにその近傍を背面側から示す一部分解斜視図である。
【図６】図１の折り畳み式スクリーンを折り畳み収納状態で示す側断面図である。
【図７】（Ａ）はパンタグラフ機構の折り畳み途中の状態を示す図、（Ｂ）はパンタグラフ機構の完全折り畳み直前の状態を示す図である。
【図８】スクリーン布がロールに巻き取られていくのに合わせてスクリーン布に取り付けられた付属物が支持部に対して後方へ移動する動作の説明図である。
【符号の説明】
【００７０】
１…下方側横長ケース
２…スクリーン布
２ａ…スクリーン布における非巻き取り領域
３…パンタグラフ機構
４…下部菱形リンク構体
５…連動機構部
６…上部菱形リンク構体
９…支持部
１０…上方側横長ケース
１１…下側ロール（巻き取り部）
２１…第１スライダ
２２…第２スライダ
４１ａ〜ｄ…リンク（下部菱形リンク構体の）
６１ａ〜ｄ…リンク（上部菱形リンク構体の）
５１ａ、５１ｂ…連動機構部の上側リンク（連動用上側リンク）
５１ｃ、５１ｄ…連動機構部の下側リンク（連動用下側リンク）
５４、５５…上側リンクの下端部（連動用上側リンクの下端部）
５６、５７…下側リンクの上端部（連動用下側リンクの上端部）
９４…付属物
１０１…上側ロール（巻き取り部）
【図１】
2008286901.tif 000003
【図２】
2008286901.tif 000004
【図３】
2008286901.tif 000005
【図４】
2008286901.tif 000006
【図５】
2008286901.tif 000007
【図６】
2008286901.tif 000008
【図７】
2008286901.tif 000009
【図８】
2008286901.tif 000010